【手続補正書】
【提出日】平成16年10月14日(2004.10.14)
【手続補正１】
【補正対象書類名】明細書
【補正対象項目名】特許請求の範囲
【補正方法】変更
【補正の内容】
【特許請求の範囲】
【請求項１】
打玉を遊技領域に打込んで遊技が行なわれ、該遊技領域に設けられた始動入賞口に打玉が入賞することにより可変表示を行なう可変表示部の表示結果が予め定められた特定の識別情報になった場合に、遊技者にとって有利となる特定遊技状態が発生するとともに、前記可変表示装置の表示結果が前記特定の識別情報となる確率が向上する確率変動状態が、予め設定された前記可変表示部の可変表示実行回数まで、又は、当該実行回数の間に前記表示結果が特定の識別情報となる可変表示が確定するまで継続する遊技機の遊技情報を収集管理する遊技機の管理装置において、
前記遊技機から出力された前記特定遊技状態となったことを特定可能な情報と、前記確率変動状態となっていることを特定可能な情報と、前記始動入賞口への入賞のうち前記可変表示部を可変表示させるために用いられた有効始動入賞を特定可能な有効始動情報と、を入力する入力手段と、
前記入力手段により入力した情報に基づいて、前記確率変動状態における前記有効始動入賞の回数と、前記確率変動状態が発生していない状態における前記有効始動入賞の回数と、を各特定遊技状態毎に集計する集計手段と、
前記集計手段にて各特定遊技状態毎に集計した、前記確率変動状態における前記有効始動入賞の回数と、前記確率変動状態が発生していない状態における前記有効始動入賞の回数と、をそれぞれ出力する出力手段と、
を備えることを特徴とする遊技機の管理装置。
【請求項２】
前記出力手段は、前記確率変動状態において発生した特定遊技状態と前記確率変動状態が発生していない状態において発生した特定遊技状態とを識別可能に出力することを特徴とする請求項１の遊技機の管理装置。
【請求項３】
前記確率変動状態において前記特定遊技状態が発生する発生率を算出する算出手段を備え、
前記出力手段は、前記算出手段により算出した前記確率変動状態において前記特定遊技状態が発生する発生率を出力することを特徴とする請求項１又は請求項２の遊技機の管理装置。
【請求項４】
前記特定遊技状態の終了後に前記確率変動状態となる特定遊技状態が発生する発生率を算出する発生率算出手段を備え、
前記出力手段は、前記発生率算出手段により算出した前記特定遊技状態の終了後に前記確率変動状態となる特定遊技状態が発生する発生率を出力することを特徴とする請求項１、請求項２又は請求項３の遊技機の管理装置。
【請求項５】
前記算出手段は、前記確率変動状態において前記特定遊技状態が発生する発生率の機種別の平均値を算出し、
前記出力手段は、前記算出手段により算出した前記確率変動状態において前記特定遊技状態が発生する発生率の機種別の平均値を出力することを特徴とする請求項３の遊技機の管理装置。
【手続補正２】
【補正対象書類名】明細書
【補正対象項目名】０００６
【補正方法】変更
【補正の内容】
【０００６】
【課題を解決するための手段】
請求項１の発明は、打玉を遊技領域に打込んで遊技が行なわれ、該遊技領域に設けられた始動入賞口に打玉が入賞することにより可変表示を行なう可変表示部の表示結果が予め定められた特定の識別情報になった場合に、遊技者にとって有利となる特定遊技状態が発生するとともに、前記可変表示装置の表示結果が前記特定の識別情報となる確率が向上する確率変動状態が、予め設定された前記可変表示部の可変表示実行回数まで、又は、当該実行回数の間に前記表示結果が特定の識別情報となる可変表示が確定するまで継続する遊技機の遊技情報を収集管理する遊技機の管理装置において、
前記遊技機から出力された前記特定遊技状態となったことを特定可能な情報と、前記確率変動状態となっていることを特定可能な情報と、前記始動入賞口への入賞のうち前記可変表示部を可変表示させるために用いられた有効始動入賞を特定可能な有効始動情報と、を入力する入力手段と、
前記入力手段により入力した情報に基づいて、前記確率変動状態における前記有効始動入賞の回数と、前記確率変動状態が発生していない状態における前記有効始動入賞の回数と、を各特定遊技状態毎に集計する集計手段と、
前記集計手段にて各特定遊技状態毎に集計した、前記確率変動状態における前記有効始動入賞の回数と、前記確率変動状態が発生していない状態における前記有効始動入賞の回数と、をそれぞれ出力する出力手段と、
を備えることを特徴とする。
【手続補正３】
【補正対象書類名】明細書
【補正対象項目名】０００７
【補正方法】変更
【補正の内容】
【０００７】
請求項１の発明によれば、確率変動状態が予め設定された可変表示部の可変表示実行回数、又は、当該実行回数までの間に特定の識別情報となる可変表示が確定するまで継続する遊技機の特定遊技状態の発生状況を、より詳細に認識することができる。
【手続補正４】
【補正対象書類名】明細書
【補正対象項目名】０００８
【補正方法】変更
【補正の内容】
【０００８】
請求項２の発明は、請求項１の発明に加えて前記出力手段は、前記確率変動状態において発生した特定遊技状態と前記確率変動状態が発生していない状態において発生した特定遊技状態とを識別可能に出力することを特徴とする。
【手続補正５】
【補正対象書類名】明細書
【補正対象項目名】０００９
【補正方法】変更
【補正の内容】
【０００９】
請求項２の発明によれば、当該遊技機の特定遊技状態の発生状況を、確率変動状態中か否かで区別してより詳細に認識することができる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
請求項３の発明は、請求項１又は請求項２の発明に加えて、前記確率変動状態において前記特定遊技状態が発生する発生率を算出する算出手段を備え、
前記出力手段は、前記算出手段により算出した前記確率変動状態において前記特定遊技状態が発生する発生率を出力することを特徴とする。
【手続補正９】
【補正対象書類名】明細書
【補正対象項目名】００１３
【補正方法】変更
【補正の内容】
【００１３】
請求項３の発明によれば、請求項１又は請求項２の発明に加えて確率変動中に特定遊技状態が発生する発生率を把握することができる。
【手続補正１０】
【補正対象書類名】明細書
【補正対象項目名】００１４
【補正方法】変更
【補正の内容】
【００１４】
請求項４の発明は、請求項１、請求項２又は請求項３の発明に加えて、前記特定遊技状態の終了後に前記確率変動状態となる特定遊技状態が発生する発生率を算出する発生率算出手段を備え、
前記出力手段は、前記発生率算出手段により算出した前記特定遊技状態の終了後に前記確率変動状態となる特定遊技状態が発生する発生率を出力することを特徴とする。
【手続補正１１】
【補正対象書類名】明細書
【補正対象項目名】００１５
【補正方法】変更
【補正の内容】
【００１５】
請求項４の発明によれば、請求項１、請求項２又は請求項３の発明に加えて、特定遊技状態の終了後に確率変動状態となる特定遊技状態が発生する発生率を把握することができる。
【手続補正１２】
【補正対象書類名】明細書
【補正対象項目名】００１６
【補正方法】変更
【補正の内容】
【００１６】
請求項５の発明は、請求項３の発明に加えて、前記算出手段は、前記確率変動状態において前記特定遊技状態が発生する発生率の機種別の平均値を算出し、
前記出力手段は、前記算出手段により算出した前記確率変動状態において前記特定遊技状態が発生する発生率の機種別の平均値を出力することを特徴とする。
【手続補正１３】
【補正対象書類名】明細書
【補正対象項目名】００１７
【補正方法】変更
【補正の内容】
【００１７】
請求項５の発明に依れば、請求項３の発明に加えて、確率変動中に特定遊技状態が発生する発生率に関して、各遊技機の発生率を機種別の平均値と対比して認識し、機種全体に対する各遊技機の位置付けを判断することができるようになる。
【手続補正１４】
【補正対象書類名】明細書
【補正対象項目名】００９０
【補正方法】変更
【補正の内容】
【００９０】
【発明の効果】
以上詳述した如く請求項１の発明によれば、確率変動状態が予め設定された可変表示部の可変表示実行回数、又は、当該実行回数までの間に特定の識別情報となる可変表示が確定するまで継続する遊技機の特定遊技状態の発生状況を、より詳細に認識することができる。
【手続補正１５】
【補正対象書類名】明細書
【補正対象項目名】００９１
【補正方法】変更
【補正の内容】
【００９１】
また、請求項２の発明によれば、当該遊技機の特定遊技状態の発生状況を、確率変動状態中か否かで区別してより詳細に認識することができる。
【手続補正１６】
【補正対象書類名】明細書
【補正対象項目名】００９２
【補正方法】削除
【補正の内容】
【手続補正１７】
【補正対象書類名】明細書
【補正対象項目名】００９３
【補正方法】変更
【補正の内容】
【００９３】
また、請求項３の発明によれば、確率変動中に特定遊技状態が発生する発生率を把握することができると共に、請求項４によれば、特定遊技状態の終了後に確率変動状態となる特定遊技状態が発生する発生率を把握することができるようになる。
【手続補正１８】
【補正対象書類名】明細書
【補正対象項目名】００９４
【補正方法】変更
【補正の内容】
【００９４】
請求項５の発明に依れば、請求項３の発明に加えて、確率変動中に特定遊技状態が発生する発生率に関して、各遊技機の発生率を機種別の平均値と対比して認識し、機種全体に対する各遊技機の位置付けを判断することができるようになる。